【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
ファンと、
該ファンの支持ベースとなる支持部材と、
前記ファンに取り付けられた弾性部材とを有し、
前記支持部材は、前記ファンから離れた位置において、前記弾性部材の端部を支持する第１および第２の支持部を有することを特徴とするファンユニット。
【請求項２】
前記弾性部材は、前記第１の支持部から前記第２の支持部まで延びる一体の部材であることを特徴とする請求項１に記載のファンユニット。
【請求項３】
前記ファンは軸流ファンであり、
前記弾性部材の長手方向と前記ファンの回転軸方向とが略平行であることを特徴とする請求項１又は２に記載のファンユニット。
【請求項４】
前記支持部材は、前記第１の支持部を有する第１の部材と前記第２の支持部を有する第２の部材とにより構成されていることを特徴とする請求項１から３のいずれか１つに記載のファンユニット。
【請求項５】
前記支持部材は、前記ファンからの風を少なくとも１つの方向に導く導風部材であることを特徴とする請求項１から４のいずれか１つに記載のファンユニット。
【請求項６】
前記弾性部材は、前記ファンにおける通風開口の中心部を挟んだ２箇所に取り付けられていることを特徴とする請求項１から５のいずれか１つに記載のファンユニット。
【請求項７】
発熱体と、
該発熱体を冷却する冷却風を前記ファンにより生成する請求項１から６のいずれか１つに記載のファンユニットとを有することを特徴する光学装置。
【請求項８】
画像形成素子により形成された画像を投射する画像投射装置であることを特徴とする請求項７に記載の光学装置。
【請求項９】
請求項８に記載の光学装置と、
該光学装置に画像情報を供給する画像情報供給装置とを有することを特徴とする画像表示システム。
【手続補正２】
【補正対象書類名】明細書
【補正対象項目名】０００２
【補正方法】変更
【補正の内容】
【０００２】
プロジェクタ（画像投射装置）その他の光学装置において、冷却ファンを筐体等の支持部材に保持させる場合、該支持部材にファンの振動が伝達されて騒音が発生するのを抑制する防振構造が必要となる。ファンの振動による騒音は、画像投射装置を使用しての映画鑑賞、会議でのプレゼンテーション等においては耳障りな音となり、使用者、聴講者に不快感を与えてしまうからである。
【手続補正３】
【補正対象書類名】明細書
【補正対象項目名】０００４
【補正方法】変更
【補正の内容】
【０００４】
さらに、ファンに設けられた取り付け穴に弾性軸を挿入し、この弾性軸を支持部材に保持させることで、ファンが直接支持部材に接触しないようにし、支持部材にファンの振動が伝達されにくくした防振構造もある（特許文献４参照）。
【手続補正４】
【補正対象書類名】明細書
【補正対象項目名】０００９
【補正方法】変更
【補正の内容】
【０００９】
１つの観点としての本発明は、ファンと、該ファンの支持ベースとなる支持部材と、ファンに取り付けられた弾性部材とを有する。そして、支持部材は、ファンから離れた位置において、前記弾性部材の端部を支持する第１および第２の支持部を有する。
【手続補正５】
【補正対象書類名】明細書
【補正対象項目名】００１０
【補正方法】変更
【補正の内容】
【００１０】
本発明によれば、ファンを支持部材に支持させる際にネジ止めを行わないため、組立作業性が良い。また、ネジ止めによって弾性部材が圧縮されないため、良好な防振性能が得られる。したがって、十分な低騒音化を実現できる。
【手続補正６】
【補正対象書類名】明細書
【補正対象項目名】００２１
【補正方法】変更
【補正の内容】
【００２１】
１９はランプ放熱板である。２０はランプ排気／遮光マスクであり、ランプユニット１の放熱機能およびランプユニット１を冷却した熱風を通過させる通風ダクトの機能を有し、さらにランプユニット１からの光が装置外に漏れないようにする遮光機能を有している。
【手続補正７】
【補正対象書類名】明細書
【補正対象項目名】００２４
【補正方法】変更
【補正の内容】
【００２４】
２６は外装側板２３の内側に取り付けられたインターフェース補強板である。２７は外装放熱板であり、ランプケース部６ａに取り付けられて、ランプユニット１からの熱を放熱する。
【手続補正８】
【補正対象書類名】明細書
【補正対象項目名】００３２
【補正方法】変更
【補正の内容】
【００３２】
６２Ｒ，６２Ｇ，６２Ｂはそれぞれ、赤用の１／４波長板、緑用の１／４波長板、青用の１／４波長板である。６４は透明基板に偏光素子を貼り付けた緑および青用の入射側偏光板であり、Ｓ偏光光のみを透過する。
【手続補正９】
【補正対象書類名】明細書
【補正対象項目名】００４６
【補正方法】変更
【補正の内容】
【００４６】
Ｒ用の反射型液晶表示素子６１Ｒに入射したＲ光は画像変調されて反射される。画像変調されたＲ光（反射光）のうちＳ偏光成分は、再び第２の偏光ビームスプリッター６６の偏光分離面で反射されて光源側に戻され、投射光から除去される。一方、画像変調されたＲ光のうちＰ偏光成分は第２の偏光ビームスプリッター６６の偏光分離面を透過して投射光として第２の色選択性位相差板６７に向かう。
【手続補正１０】
【補正対象書類名】明細書
【補正対象項目名】００４７
【補正方法】変更
【補正の内容】
【００４７】
また、Ｂ用の反射型液晶表示素子６１Ｂに入射したＢ光は画像変調されて反射される。画像変調されたＢ光（反射光）のうちＰ偏光成分は、再び第２の偏光ビームスプリッター６６の偏光分離面を透過して光源側に戻され、投射光から除去される。一方、画像変調されたＢ光（反射光）のうちＳ偏光成分は第２の偏光ビームスプリッター６６の偏光分離面で反射して投射光として第２の色選択性位相差板６７に向かう。
【手続補正１１】
【補正対象書類名】明細書
【補正対象項目名】００４９
【補正方法】変更
【補正の内容】
【００４９】
こうして１つの光束に合成され、第２の偏光ビームスプリッター６６から射出したＲとＢの投射光のうちＲ光は、第２の色選択性位相差板６７によって偏光方向が９０度回転されてＳ偏光成分となり、さらに射出側偏光板６８で検光されて第３の偏光ビームスプリッター６９に入射する。また、Ｂ光はＳ偏光のまま第２の色選択性位相差板６７を透過し、さらに射出側偏光板６８で検光されて第３の偏光ビームスプリッター６９に入射する。射出側偏光板６８で検光されることにより、ＲとＢの投射光は第２の偏光ビームスプリッター６６とＲ用，Ｂ用の反射型液晶表示素子６１Ｒ，６１Ｂ、１／４波長板６２Ｒ，６２Ｂを通ることによって生じた無効な成分をカットされた光となる。
【手続補正１２】
【補正対象書類名】明細書
【補正対象項目名】００５０
【補正方法】変更
【補正の内容】
【００５０】
そして、第３の偏光ビームスプリッター６９に入射したＲとＢの投射光は第３の偏光ビームスプリッター６９の偏光分離面で反射し、前述した該偏光分離面を透過したＧ光と合成されて投射レンズ光学系７０に至る。これにより、合成されたＲ，Ｇ，Ｂの投射光は、投射レンズ光学系７０によってスクリーンなどの被投射面に拡大投影される。
【手続補正１３】
【補正対象書類名】明細書
【補正対象項目名】００５５
【補正方法】変更
【補正の内容】
【００５５】
ここで、Ｒ用の反射型液晶表示素子６１Ｒは黒表示状態であるため、Ｒ用の反射型液晶表示素子６１Ｒに入射したＲ光は画像変調されないまま反射される。従って、Ｒ用の反射型液晶表示素子６１Ｒで反射された後もＲ光はＳ偏光光のままであり、再び第２の偏光ビームスプリッター６６の偏光分離面で反射し、入射側偏光板６４を通過して光源側に戻され、投射光から除去される。すなわち、被投射面上で黒表示となる。
一方、Ｂ用の反射型液晶表示素子６１Ｂに入射したＢ光は、Ｂ用の反射型液晶表示素子６１Ｂが黒表示状態であるため、画像変調されないまま反射される。従って、Ｂ用の反射型液晶表示素子６１Ｂで反射された後もＢ光はＰ偏光光のままであり、再び第２の偏光ビームスプリッター６６の偏光分離面を透過し、第１の色選択性位相差板６５によりＳ偏光光に変換され、入射側偏光板６４を透過して光源側に戻されて投射光から除去される。
【手続補正１４】
【補正対象書類名】明細書
【補正対象項目名】００５８
【補正方法】変更
【補正の内容】
【００５８】
ランプ冷却ファン１４をファン保持台１５の矩形枠部１５ｅ内に挿入した後、ファン押さえ板１６を矩形枠部１５ｅの開口の四隅を覆うようにファン保持台１５に取り付ける。ファン押さえ板１６は、ランプ冷却ファン１４の吸い込み口側フランジ部１４ｂの支持ベースとなる第２の部材として構成されている。
【手続補正１５】
【補正対象書類名】明細書
【補正対象項目名】００５９
【補正方法】変更
【補正の内容】
【００５９】
ファン押さえ板１６の四隅には弾性突出片１６ａが設けられており、該弾性突出片１６ａに形成された角穴部１６ｂとファン保持台１５の矩形枠部１５ｅの外面に設けられた突起部１５ｃとを係合させることにより、ファン押さえ板１６がファン保持台１５に一体的に取り付けられ、ランプ冷却ファン１４がファン保持台１５から脱落しないように押さえる。なお、ファン押さえ板１６には、ランプ冷却ファン１４に空気を吸い込ませるための開口部１６ｃが形成されている。
【手続補正１６】
【補正対象書類名】明細書
【補正対象項目名】００６１
【補正方法】変更
【補正の内容】
【００６１】
これにより、ランプ冷却ファン１４に取り付けられた弾性支持軸１０１の両端が、ファン保持台１５とファン押さえ板１６とが一体化されて構成される支持部材により支持される。言い換えれば、支持部材（ファン保持台１５とファン押さえ板１６）において弾性支持軸１０１の軸方向に離間した２箇所で、ランプ冷却ファン１４に取り付けられた弾性支持軸１０１が支持され、ランプ冷却ファン１４はいわば宙吊り状態で、かついわゆる両持ち支持状態で支持部材によって支持される。この状態で、弾性支持軸１０１の軸方向は、ランプ冷却ファン１４のファン回転軸の方向に略平行である。
【手続補正１７】
【補正対象書類名】明細書
【補正対象項目名】００６８
【補正方法】変更
【補正の内容】
【００６８】
この組み立て完了状態において、図４に示すように、ランプ冷却ファン１４はファン保持台１５およびファン押さえ板１６に対して、上下左右に所定の空間をあけて（すなわち、弾性支持軸１０１によって宙吊り状態で）保持されている。しかも、弾性支持軸１０１とファン保持台１５およびファン押さえ板１６との接触面積は軸部１０１ａ，１０１ｂと切り欠き穴部１５ｄ，１６ｄとの間のきわめて小さい面積である。したがって、ランプ冷却ファン１４が回転作動した際の該ファン１４の振動は、弾性支持軸１０１自体の弾性による防振効果に加えて、上記小さな接触面積による振動伝達抑制効果により、ファン保持台１５にほとんど伝達されない。このため、ファン保持台１５から外装キャビネット２１（図１参照）にファン振動が伝達されることにより増大する騒音の発生が効果的に抑制される。したがって、騒音の少ない高品位なファンユニット、しいては画像投射装置を得ることができる。
【手続補正１８】
【補正対象書類名】明細書
【補正対象項目名】００６９
【補正方法】変更
【補正の内容】
【００６９】
また、ランプ冷却ファン１４は、ファン保持台１５およびファン押さえ板１６との間で弾性支持軸１０１を介して両端支持されているため、弾性支持軸１０１を対角２箇所で支持するだけであっても、ランプ冷却ファン１４のファン保持台１５に対して倒れが発生しにくい。したがって、ランプ冷却ファン１４からランプユニット１への冷却風の吹き付けが的確に行われ、コストダウン効果も含めて、ランプユニット１および投射画像の明るさダウン等の問題発生を防止することができる。このようにして、冷却性能の優れた画像投射装置を実現することができる。
【手続補正１９】
【補正対象書類名】明細書
【補正対象項目名】００７２
【補正方法】変更
【補正の内容】
【００７２】
本実施例の弾性支持軸１０１’は、実施例１の弾性支持軸１０１のうち一方の軸部１０１ａと、大径部１０１ｃ、小径Ａ部１０１ｄ、中径部１０１ｅおよびテーパ部１０１ｆとを有する。該弾性支持軸１０１’は、各取り付け穴部１４ａ（吐き出し口側及び吸い込み口側それぞれの対角２箇所の各取り付け穴部１４ａ）に、テーパ部１０１ｆ側から挿入され、大径部１０１ｃと中径部１０１ｅとの間に取り付け穴部１４ａが挟まれた形でランプ冷却ファン１４に取り付けられる。
【手続補正２０】
【補正対象書類名】明細書
【補正対象項目名】００８２
【補正方法】変更
【補正の内容】
【００８２】
１ ランプユニット
５ 投射レンズ鏡筒
６ 光学ボックス
８ 電源
９ 電源フィルタ
１０ バラスト電源
１４ ランプ冷却ファン
１５ ファン保持台
１６ ファン押さえ板
１０１，１０１’ 弾性支持軸
【手続補正２１】
【補正対象書類名】図面
【補正対象項目名】図５
【補正方法】変更
【補正の内容】
【図５】
2006084918.tif 000001